(57)【要約】【課題】動画撮影時のシステム性能を向上させることが可能な低コスト且つ小型の撮像装置を提供する。【解決手段】動画像データの１フレームを構成する画像データを、圧縮用サイズに変換するサイズ変換部７１と、サイズ変換後の変換後画像データを、１つ以上の画素ブロックからなるマクロブロックに分割し、マクロブロックを構成する画素ブロックを並び替えて圧縮用画像データを生成する圧縮用画像データ生成部７２と、圧縮用画像データに対して圧縮符号化処理を行う圧縮符号化７３と、サイズ変換部７１及び圧縮用画像データ生成部７２専用のバスに接続されたメモリ７４とを備え、変換後画像データは、第一の方向に並ぶ多数の前記マクロブロックからなるマクロブロック行が第一の方向に直交する第二の方向に多数配列される形式であり、サイズ変換部７１は、変換後画像データをマクロブロック行単位でメモリ７４に記憶していき、圧縮用画像データ生成部７２は、メモリ７４に記録されるマクロブロック行から圧縮用画像データを生成する。【選択図】図２
2007189334.tif 000002
【特許請求の範囲】
【請求項１】
動画像データの圧縮機能を有する撮像装置であって、
前記動画像データの１フレームを構成する画像データを、圧縮用のサイズに変換するサイズ変換手段と、
前記サイズ変換後の前記画像データである変換後画像データを、１つ以上の画素ブロックからなり圧縮符号化処理が可能な形式を有するマクロブロックに分割し、前記マクロブロックを構成する前記画素ブロックを並び替えて、前記変換後画像データから圧縮用画像データを生成する圧縮用画像データ生成手段と、
前記圧縮用画像データに対して圧縮符号化処理を行う圧縮符号化手段と、
前記サイズ変換手段及び前記圧縮用画像データ生成手段専用のバスに接続されたメモリとを備え、
前記変換後画像データは、第一の方向に並ぶ多数の前記マクロブロックからなるマクロブロック行が、前記第一の方向に直交する第二の方向に多数配列される形式であり、
前記サイズ変換手段は、前記変換後画像データを、前記マクロブロック行単位で前記メモリに記憶していき、
前記圧縮用画像データ生成手段は、前記メモリに記録される前記マクロブロック行から前記圧縮用画像データを生成する撮像装置。
【請求項２】
請求項１記載の撮像装置であって、
前記サイズ変換手段は、前記画像データを前記第一の方向に複数のエリアに分割し、前記複数のエリア毎にサイズ変換処理を行う撮像装置。
【発明の詳細な説明】
【技術分野】
【０００１】
本発明は、動画像データの圧縮機能を有する撮像装置に関する。
【背景技術】
【０００２】
図６は、従来の動画像データの圧縮機能を有する撮像装置であるデジタルカメラの動画像データ圧縮処理を説明するための図である。
まず、デジタル信号処理部が、撮像によって得られた１フレーム分の撮像信号から１画素データにＲ（赤色）、Ｇ（緑色）、Ｂ（青色）のデータを持つＲＧＢカラー画像データを生成し、このＲＧＢカラー画像データを、輝度（Ｙ）成分のみからなる画像データＹと、ＢとＹの差分の成分のみからなる画像データＵと、ＲとＹの差分の成分のみからなる画像データＶとに分解する（図６（ａ））。ここでは、画像データＹ，Ｕ，Ｖが、それぞれ横Ｎ×縦Ｍピクセルのサイズとする。
【０００３】
次に、圧縮処理部が、画像データＹ，Ｕ，ＶをＭＰＥＧ圧縮に適したサイズに変換する。画像データＹは、例えば横ｎ×縦ｍピクセルの画像データＹ’に変換される。画像データＵは、例えば横（ｎ／２）×縦（ｍ／２）ピクセルの画像データＵ’に変換される。画像データＶは、例えば横（ｎ／２）×縦（ｍ／２）ピクセルの画像データＶ’に変換される。ここで、Ｍ＞ｍ、Ｎ＞ｎである。変換後の画像データＹ’，Ｕ’，Ｖ’は、デジタルカメラ内の内部メモリに記憶される。
【０００４】
次に、圧縮処理部が、画像データＹ’，Ｕ’，Ｖ’を、それぞれ、１つ以上の画素ブロックからなり圧縮符号化処理が可能な形式を有するマクロブロック（ＭＢ）に分割する。例えば、図６（ｂ）に示すように、８×８画素を１つの画素ブロックとし、画像データＹ’については、４つの画素ブロックを１マクロブロックとし、画像データＵ’，Ｖ’については、それぞれ１つの画素ブロックを１マクロブロックとする。このマクロブロックという概念を用いると、画像データＹ’，Ｕ’，Ｖ’は、それぞれ、第一の方向である水平方向に並ぶ多数のマクロブロックからなるマクロブロック行が、水平方向に直交する第二の方向である垂直方向に多数配列される形式のデータとして説明することができる。図６（ｂ）では、一部の画素ブロックにアルファベットａ〜ｆを記してある。画像データＹ’，Ｕ’，Ｖ’のそれぞれを構成するマクロブロックの数は同じである。画像データＹ’の任意のマクロブロックと、この任意のマクロブロックと同一座標にある画像データＵ’，Ｖ’それぞれのマクロブロックとは対応しており、対応する３つのマクロブロックを以下では対応マクロブロックという。
【０００５】
次に、圧縮処理部が、内部メモリにアクセスして、画像データＹ’，Ｕ’，Ｖ’それぞれから、対応マクロブロックを構成する画素ブロックａ〜ｆを読み込み、これを図６（ｃ）に示すように並び替えて内部メモリの別領域に記憶する。圧縮処理部は、他の対応マクロブロックを構成する画素ブロックについても同様の処理を行い、全ての画素ブロックの並び替えを行って、圧縮用画像データを生成する。この並び替えは、後の圧縮符号化処理を行う際に、対応マクロブロック単位で内部メモリにアクセスできるようにするために行う。
【０００６】
画素ブロックの並び替えが完了すると、圧縮処理部が、対応マクロブロック単位で内部メモリにアクセスして圧縮用画像データの圧縮符号化処理を行う。
【０００７】
動画像データの圧縮処理に関する技術として、特許文献１，２に記載のものがあげられる。
【０００８】
【特許文献１】特開平１１−１２２６１３号公報
【特許文献２】特開平１０−１９１３２０号公報
【発明の開示】
【発明が解決しようとする課題】
【０００９】
上記従来の圧縮処理では、圧縮処理部が、対応マクロブロックを構成する画素データを読み込むステップと、読み込んだ画素データを並び替えて内部メモリに記憶するステップとを、全対応マクロブロックに対して繰り返し行っている。動画撮影時には、このような圧縮処理の他に、自動焦点調節のための演算処理や、スルー画像表示のための画像処理等を並行して行う必要がある。内部メモリは、このような各種処理に用いられるものであるため、１つの処理のために内部メモリを占有する時間は短い方が好ましい。しかし、上記従来の圧縮処理方法では、圧縮処理部が内部メモリに何度もアクセスしているため、動画撮影時の各種処理を効率良く行うことができない。
【００１０】
圧縮処理部の内部に画像データＹ’，Ｕ’，Ｖ’と同等のサイズのメモリを持っておけば、圧縮処理部が内部メモリにアクセスする時間を少なくすることができるが、これではデジタルカメラの低コスト化や小型化の妨げになる。
【００１１】
本発明は、上記事情に鑑みてなされたものであり、コスト及びサイズを大きくすることなく、動画撮影時のシステム性能を向上させることが可能な撮像装置を提供することを目的とする。
【課題を解決するための手段】
【００１２】
本発明の撮像装置は、動画像データの圧縮機能を有する撮像装置であって、前記動画像データの１フレームを構成する画像データを、圧縮用のサイズに変換するサイズ変換手段と、前記サイズ変換後の前記画像データである変換後画像データを、１つ以上の画素ブロックからなり圧縮符号化処理が可能な形式を有するマクロブロックに分割し、前記マクロブロックを構成する前記画素ブロックを並び替えて、前記変換後画像データから圧縮用画像データを生成する圧縮用画像データ生成手段と、前記圧縮用画像データに対して圧縮符号化処理を行う圧縮符号化手段と、前記サイズ変換手段及び前記圧縮用画像データ生成手段専用のバスに接続されたメモリとを備え、前記変換後画像データは、第一の方向に並ぶ多数の前記マクロブロックからなるマクロブロック行が、前記第一の方向に直交する第二の方向に多数配列される形式であり、前記サイズ変換手段は、前記変換後画像データを、前記マクロブロック行単位で前記メモリに記憶していき、前記圧縮用画像データ生成手段は、前記メモリに記録される前記マクロブロック行から前記圧縮用画像データを生成する。
【００１３】
この構成によれば、サイズ変換手段と圧縮用画像データ生成手段との専用のバスに接続されたメモリを用いて、圧縮用画像データの生成が行われるため、撮像装置の他の処理を行う部分との共有のバスに接続された共有メモリを用いて圧縮用画像データの生成を行う場合に比べると、共有のバスを占有する時間を少なくすることができる。したがって、動画撮影時における撮像装置のシステム性能を向上させることができる。又、サイズ変換手段が変換後画像データをマクロブロック行単位でメモリに記憶していくため、メモリの容量は少なくとも１マクロブロック行のデータ量と同じであれば良い。このため、メモリサイズを小さくすることができ、撮像装置の低コスト化及び小型化を実現することができる。
【００１４】
本発明の撮像装置は、前記サイズ変換手段が、前記画像データを前記第一の方向に複数のエリアに分割し、前記複数のエリア毎にサイズ変換処理を行う。
【００１５】
この構成によれば、サイズ変換手段からメモリに記憶されるマクロブロック行のデータ量が少なくなるため、メモリの容量を更に小さくすることができる。
【発明の効果】
【００１６】
本発明によれば、コスト及びサイズを大きくすることなく、動画撮影時のシステム性能を向上させることが可能な撮像装置を提供することができる。
【発明を実施するための最良の形態】
【００１７】
以下、本発明の実施形態について図面を参照して説明する。
【００１８】
図１は、本実施形態を説明するための撮像装置の一例であるデジタルカメラの概略構成を示すブロック図である。
図１に示すデジタルカメラは、撮像部１と、アナログ信号処理部２と、Ａ／Ｄ変換部３と、駆動部４と、デジタル信号処理部６と、圧縮処理部７と、伸張処理部８と、表示部９と、システム制御部１０と、内部メモリ１１と、メディアインタフェース（Ｉ／Ｆ）１２と、記録メディア１３と、操作部１４とを備える。デジタル信号処理部６、圧縮処理部７、伸張処理部８、表示部９、システム制御部１０、内部メモリ１１、及びメディアインタフェース１２は、システムバス１５に接続されている。
【００１９】
撮像部１は、撮影レンズを含む光学系と固体撮像素子とによって被写体を撮像するものであり、アナログの撮像信号を出力する。アナログ信号処理部２は、撮像部１で得られた撮像信号に所定のアナログ信号処理を施す。Ａ／Ｄ変換部３は、アナログ信号処理部２で処理後のアナログ信号をデジタル信号に変換する。
【００２０】
駆動部４は、デジタルカメラが撮影モード（被写体を撮影して撮影画像データの記録が可能なモード）に設定されると、システム制御部１０から供給される駆動パルスによって、固体撮像素子、アナログ信号処理部２、及びＡ／Ｄ変換部３に所定のパルスを供給して、これらを駆動する。撮影モードには、静止画像データを記録可能な静止画撮影モードと、動画像データを記録可能な動画撮影モードがある。
【００２１】
デジタル信号処理部６は、Ａ／Ｄ変換部３からのデジタル信号に対して、操作部１４によって設定された動作モードに応じたデジタル信号処理を行って撮影画像データを生成する。デジタル信号処理部６が行う処理には、黒レベル補正処理（ＯＢ処理）、リニアマトリクス補正処理、ホワイトバランス調整処理、ガンマ補正処理、同時化処理、及びＹＣ変換処理等が含まれる。デジタル信号処理部６は、例えばＤＳＰで構成される。同時化処理とは、１画素データに対してＲ，Ｇ，Ｂの３つの情報を持たせる処理である。ＹＣ変換処理は、同時化処理後の画像データを、Ｙ成分とＵ成分とＶ成分の画像データＹ，Ｕ，Ｖに分解する処理である。
【００２２】
圧縮処理部７は、デジタル信号処理部６で生成された画像データＹ，Ｕ，Ｖに対して圧縮処理を施す。伸張処理部８は、記録メディア１３から得られた圧縮画像データに対して伸張処理を施す。
【００２３】
表示部９は、例えばＬＣＤ表示装置を含んで構成され、撮影されてデジタル信号処理を経た撮影画像データに基づく画像を表示する。記録メディア１３に記録された圧縮画像データを伸張処理して得た画像データに基づく画像の表示も行う。また、撮影モード時のスルー画像、デジタルカメラの各種状態、操作に関する情報の表示等も可能である。
【００２４】
システム制御部１０は、所定のプログラムによって動作するプロセッサを主体に構成され、撮影動作を含むデジタルカメラ全体の統括制御を行う。
【００２５】
内部メモリ１１は、例えばＤＲＡＭであり、デジタル信号処理部６、圧縮処理部７、伸張処理部８やシステム制御部１０のワークメモリとして利用される他、記録メディア１３に記録される撮影画像データを一時的に記憶するバッファメモリや表示部９への表示用画像データのバッファメモリとしても利用される。メディアインタフェース１２は、メモリカード等の記録メディア１３との間のデータの入出力を行うものである。
【００２６】
操作部１４は、デジタルカメラ使用時の各種操作を行うものであり、撮影指示を行うためのレリーズボタン（図示せず）を含む。
【００２７】
図２は、図１に示す圧縮処理部７の概略構成を示すブロック図である。図２において図１と同じ構成には同一符号を付してある。
圧縮処理部７は、動画像データの１フレームを構成する画像データＹ，Ｕ，Ｖのサイズを圧縮用のサイズに変換するサイズ変換部７１と、サイズ変換部７１でサイズ変換後の変換後画像データＹ’，Ｕ’，Ｖ’から圧縮用画像データを生成する圧縮用画像データ生成部７２と、圧縮用画像データに対してＭＰＥＧに準拠した圧縮符号化処理を行う圧縮符号化部７３と、メモリ７４とを備える。メモリ７４は、サイズ変換部７１と圧縮用画像データ生成部７２との専用のバスに接続されている。又、前述したマクロブロックという概念を用いると、変換後画像データＹ’，Ｕ’，Ｖ’は、それぞれ、第一の方向である水平方向に並ぶ多数のマクロブロックからなるマクロブロック行が、水平方向に直交する第二の方向である垂直方向に多数配列された形式のデータということができる。
【００２８】
図３は、図２に示すサイズ変換部７１の概略構成を示すブロック図である。
サイズ変換部７１は、画像データＹの水平方向の画素データを間引いて水平解像度変換を行う水平解像度変換回路７１ａと、水平解像度変換後の画像データＹの２ライン分の画素データを保持可能なバッファ７１ｃ，７１ｄと、バッファ７１ｃ，７１ｄに保持された２ライン分の画素データを用いて、画像データＹの垂直方向の解像度縮小を行う垂直解像度変換回路７１ｂとを備える。尚、サイズ変換部７１は、図３に示した同様の回路を、画像データＵ，Ｖのサイズ変換用にも別途有する。
【００２９】
従来のサイズ変換部７１は、図６（ｂ）に示したようなサイズ変換後の画像データＹ’，Ｕ’，Ｖ’を、内部メモリ１１に記憶するが、本実施形態のサイズ変換部７１は、サイズ変換後の画像データＹ’，Ｕ’，Ｖ’をメモリ７４に記憶する。
【００３０】
メモリ７４は、画像データＹ’記憶用のメモリと、画像データＵ’記憶用のメモリと，画像データＶ’記憶用のメモリとを含む。画像データＹ’記憶用のメモリのサイズは、画像データＹ’を構成する１つのマクロブロック行と同じサイズである。画像データＵ’記憶用のメモリのサイズは、画像データＵ’を構成する１つのマクロブロック行と同じサイズである。画像データＶ’記憶用のメモリのサイズは、画像データＶ’を構成する１つのマクロブロック行と同じサイズである。
【００３１】
圧縮用画像データ生成部７２は、メモリ７４に含まれる画像データＹ’記憶用のメモリ、画像データＵ’記憶用のメモリ、画像データＶ’記憶用のメモリに１つのマクロブロック行が記憶される毎に、メモリ７４にアクセスする。そして、メモリ７４に記憶された画像データをマクロブロックに分割した後、対応マクロブロックを構成する画素ブロックを読み出し、読み出した画素ブロックを並び替えて内部メモリ１１に記憶する処理を行うことで、図６（ｃ）に示したような圧縮用画像データを生成する。
【００３２】
サイズ変換部７１は、サイズ変換後の画像データＹ’，Ｕ’，Ｖ’を、マクロブロック行単位でメモリ７４に記憶していく。即ち、サイズ変換部７１は、１つのマクロブロック行をメモリ７４に記憶した時点でサイズ変換処理を一時中断し、圧縮用画像データ生成部７２が１つのマクロブロック行の読み出しを全て完了した時点でサイズ変換を再開する。サイズ変換再開後、サイズ変換部７１は、メモリ７４に記憶されているデータに新たに生成したマクロブロック行を上書きして、メモリ７４に新たなマクロブロック行を記憶する。サイズ変換部７１は、全てのマクロブロック行をメモリ７４に記憶するまで、このような処理を繰り返す。
【００３３】
圧縮符号化部７３は、圧縮用画像データ生成部７２が生成した圧縮用画像データに対して圧縮符号化処理を行い、圧縮後の画像データを記録メディア１３に記録する。
【００３４】
次に、圧縮処理部７の動作を説明する。
デジタル信号処理部６によるＹＣ変換処理が完了すると、サイズ変換部７１が、画像データＹ，Ｕ，Ｖを圧縮用のサイズに変換する。画像データＹは、最終的に、例えば図６（ｂ）に示すような横ｎ×縦ｍピクセルの画像データＹ’に変換される。画像データＵは、最終的に、例えば図６（ｂ）に示すような横（ｎ／２）×縦（ｍ／２）ピクセルの画像データＵ’に変換される。画像データＶは、最終的に、例えば図６（ｂ）に示すような横（ｎ／２）×縦（ｍ／２）ピクセルの画像データＶ’に変換される。ここで、Ｍ＞ｍ、Ｎ＞ｎ、（ｎ／Ｎ）＝（ｍ／Ｍ）＝Ａとする。
【００３５】
画像データＹのうちの１６／Ａライン分のデータがサイズ変換部７１によってサイズ変換されると、メモリ７４の画像データＹ’記憶用のメモリには、図４（ａ）に示すように、画像データＹ’の１つのマクロブロック行を構成する縦１６×横ｎピクセルの画像データＹ’が記憶された状態となる。同様に、メモリ７４の画像データＵ’記憶用のメモリには、図４（ｂ）に示すように、画像データＵ’の１つのマクロブロック行を構成する縦８×横ｎ／２ピクセルの画像データＵ’が記憶された状態となる。同様に、メモリ７４の画像データＶ’記憶用のメモリには、図４（ｃ）に示すように、画像データＶ’の１つのマクロブロック行を構成する縦８×横ｎ／２ピクセルの画像データＶ’が記憶された状態となる。
【００３６】
サイズ変換部７１は、メモリ７４に図４（ａ），（ｂ），（ｃ）に示したような画像データを記憶すると、サイズ変換処理を一時中断する。サイズ変換部７１がメモリ７４に画像データを記憶した時点では、メモリ７４に記憶されている画像データはマクロブロックには分割されていない。このため、図４（ａ），（ｂ），（ｃ）に示したような画像データがメモリ７４に記憶されると、圧縮用画像データ生成部７２は、画像データＹ’記憶用のメモリ、画像データＵ’記憶用のメモリ、画像データＶ’記憶用のメモリのそれぞれに記憶されている画像データをマクロブロックに分割する。そして、対応マクロブロックを構成する画素ブロックａ〜ｆをメモリ７４から順次読み出して、図６（ｃ）に示すような並び順で内部メモリ１１に記憶していく。
【００３７】
圧縮用画像データ生成部７２がメモリ７４に記憶された画素ブロックを全て読み出した後、サイズ変換部７１は、画像データＹ，Ｕ，Ｖのそれぞれの次の１６／Ａライン分のデータのサイズ変換処理を再開してメモリ７４に記憶している画像データを更新する。画像データが更新されると、圧縮用画像データ生成部７２が画素ブロックを読み出して内部メモリ１１に記憶する。画像データＹ，Ｕ，Ｖの全てがサイズ変換されるまで、上述した処理が繰り返されることで、内部メモリ１１に圧縮用画像データが記憶される。
【００３８】
圧縮用画像データの記憶が完了すると、圧縮符号化部７３が、対応マクロブロック単位で内部メモリ１１にアクセスして圧縮用画像データの圧縮符号化処理を行う。
【００３９】
以上のように、本実施形態で説明したデジタルカメラは、サイズ変換部７１でサイズ変換後の画像データがメモリ７４に記憶され、圧縮用画像データ生成部７２が、メモリ７４に記憶された画像データから圧縮用画像データを生成する。従来では、サイズ変換部７１でサイズ変換後の画像データが内部メモリ１１に記憶され、圧縮用画像データ生成部７２が、内部メモリ１１に何度もアクセスして、圧縮用画像データを生成していた。これに対し、本実施形態で説明したデジタルカメラによれば、サイズ変換部７１から内部メモリ１１へのアクセス回数と、圧縮用画像データ生成部７２から内部メモリ１１へのアクセス回数を減らすことができる。このため、圧縮処理部７がバス１５を占有する時間を少なくすることができ、動画撮影時におけるデジタルカメラのシステム性能を向上させることができる。
【００４０】
又、本実施形態で説明したデジタルカメラは、サイズ変換部７１がサイズ変換後の画像データをマクロブロック行単位でメモリ７４に記憶していくため、画像データＹ’記憶用のメモリの容量は、少なくとも画像データＹ’を構成する１つのマクロブロック行のデータ量と同じであれば良い。同様に、画像データＵ’記憶用のメモリの容量は、少なくとも画像データＵ’を構成する１つのマクロブロック行のデータ量と同じであれば良い。同様に、画像データＶ’記憶用のメモリの容量は、少なくとも画像データＶ’を構成する１つのマクロブロック行のデータ量と同じであれば良い。このように、メモリ７４の容量が小さくてすむため、圧縮処理部７の面積をあまり大きくすることなく、且つ、コストをあまり上げることなく、システム性能を向上させることができる。
【００４１】
メモリ７４のサイズは小さい方がデジタルカメラの低コスト化や小型化の面で好ましい。例えば、図５に示すように、サイズ変換部７１が、画像データＹ，Ｕ，Ｖそれぞれを水平方向に複数のエリアに分割し、各分割エリア毎にサイズ変換処理を行うようにする。例えば、画像データＹ，Ｕ，Ｖを２つに分割した場合、サイズ変換部７１がメモリ７４に記憶する１つのマクロブロック行は、画像データＹ，Ｕ，Ｖを分割しない場合の半分のサイズになる。このため、メモリ７４の水平方向のサイズを１／２にすることができ、更なるコスト削減及び小型化が可能である。
【００４２】
尚、以上の説明では、メモリ７４に、画像データＹ’記憶用のメモリと、画像データＵ’記憶用のメモリと、画像データＶ’記憶用のメモリとが含まれるとしたが、メモリ７４には画像データＹ’記憶用のメモリが最低限あれば良い。この場合は、サイズ変換部７１が、画像データＹ，Ｕ，Ｖのサイズ変換処理をそれぞれ並行して行うのではなく、順番に行うようにすれば良い。又、メモリ７４が、画像データＹ’記憶用のメモリと、画像データＵ’記憶用のメモリと、画像データＶ’記憶用のメモリをそれぞれ複数有する構成であっても良い。例えば、画像データＹ’，Ｕ’，Ｖ’記憶用のメモリがそれぞれ２つあった場合には、圧縮用画像データ生成部７２が一方のメモリから画素ブロックの読み込みを行っている際中に、サイズ変換部７１がもう一方のメモリに次のマクロブロック行を記憶するといったことが可能となり、圧縮処理を高速に行うことができる。
【００４３】
又、圧縮された画像データを伸張する場合には、上述した圧縮処理と逆のことを行えば良い。内部メモリ１１に圧縮画像データが記憶されると、伸張処理部８は、この圧縮画像データを復号化して図６（ｃ）に示すような形式の画像データを得る。次に、伸張処理部８は、図６（ｃ）に示すような形式の画像データから画素ブロックを読み出して、伸張処理部内のメモリに、図４（ａ）〜（ｃ）に示すように並び替えて記憶していく。メモリに画像データが記憶されると、伸張処理部のサイズ変換部が、メモリに記憶された画像データから表示用サイズの画像データの一部を生成し、内部メモリ１１に記憶する。このような処理を繰り返すことで、圧縮画像データの伸張時においても、バス１５を占有する時間を短くすることができる。
【図面の簡単な説明】
【００４４】
【図１】本実施形態を説明するための撮像装置の一例であるデジタルカメラの概略構成を示すブロック図
【図２】図１に示す圧縮処理部の概略構成を示すブロック図
【図３】図２に示すサイズ変換部の概略構成を示すブロック図
【図４】図１に示す圧縮処理部の圧縮処理動作を説明するための図
【図５】図１に示す圧縮処理部の圧縮処理動作の別の例を説明するための図
【図６】従来の動画像データの圧縮機能を有する撮像装置であるデジタルカメラの動画像データ圧縮処理を説明するための図
【符号の説明】
【００４５】
１  撮像部
２  アナログ信号処理部
３  Ａ／Ｄ変換部
４  駆動部
６  デジタル信号処理部
７  圧縮処理部
８  伸張処理部
９  表示部
１０  システム制御部
１１  内部メモリ
１２  メディアインタフェース
１３  記録メディア
１４  操作部
１５  システムバス
７１  サイズ変換部
７２  圧縮用画像データ生成部
７３  圧縮符号化部
【図１】
2007189334.tif 000003
【図２】
2007189334.tif 000004
【図３】
2007189334.tif 000005
【図４】
2007189334.tif 000006
【図５】
2007189334.tif 000007
【図６】
2007189334.tif 000008